(57)【要約】 【課題】  正常に受信した受信データの変換処理に異常が発生した場合に対処することが可能な画像形成装置を提供する。【解決手段】  受信データの変換処理時間が基準時間内に終了しないとき（Ｓ２３で「Ｎ」）、その受信データの変換処理を中止し、次の実行指令コマンドに基づき後続する受信データの変換処理に移行する。これによりたとえ変換処理に異常が発生しても後続する受信データの処理まで実行されないという事態を回避できる。【選択図】  図６
2005123808.tif 000002
【特許請求の範囲】
【請求項１】
通信網を通じて送られてきた画像に関するデータを受信する受信手段と、
前記受信手段で受信した受信データを記憶する記憶手段と、
前記記憶手段にて記憶された受信データを読み出して画像形成用データに変換する変換処理を行う変換手段と、
前記変換手段で変換された前記画像形成用データに基づき被記録媒体上に画像を形成する画像形成手段とを備えた画像形成装置において、
前記変換手段での前記受信データの変換処理過程で異常が生じたか否かを判断する判断手段と、
前記判断手段にて異常と判断されたことを条件に、その異常と判断された受信データの前記変換処理を終了させ、後続する受信データがあればその受信データの変換処理を実行させるように前記変換手段を制御する制御手段とを備えたことを特徴とする画像形成装置。
【請求項２】
前記受信データは、圧縮データであって、前記変換手段は、前記圧縮データをビットマップデータに展開する変換処理を行うことを特徴とする請求項１記載の画像形成装置。
【請求項３】
前記通信網は電話回線であり、前記画像形成装置はファクシミリ装置であることを特徴とする請求項１または請求項２記載の画像形成装置。
【請求項４】
前記判断手段は、前記変換手段による前記受信データの変換処理において、頁単位のデータ、または、走査線単位のデータの処理時間を計数し、その処理時間が基準時間以上であったことを条件に、当該受信データの変換処理に異常が生じたと判断することを特徴とする請求項１ないし請求項３のいずれかに記載の画像形成装置。
【請求項５】
前記制御手段には、前記受信手段が受信した複数の受信データのそれぞれに対応する複数の実行指令情報を生成して所定の順番で前記変換手段に与える管理手段が備えられ、
前記変換手段は、前記管理手段から与えられる前記実行指令情報の順番でそれぞれに対応する受信データの変換処理を実行するよう構成され、
前記管理手段は、前記判断手段で少なくとも１回異常と判断された変換処理対象の受信データに対応する実行指令情報を、それ以降前記変換手段に与える対象から削除することを特徴とする請求項１ないし請求項４のいずれかに記載の画像形成装置。
【請求項６】
前記判断手段で異常と判断された変換処理対象の受信データを、前記記憶手段から消去することを特徴とする請求項１ないし請求項５のいずれかに記載の画像形成装置。
【請求項７】
前記判断手段によって異常と判断された変換処理対象の受信データは不揮発性メモリに記憶されることを特徴とする請求項１ないし請求項６のいずれかに記載の画像形成装置。
【請求項８】
前記画像形成手段は、前記判断手段によって異常と判断された変換処理対象の受信データについて、その異常が生じるまで正常に変換された画像形成用データに基づき画像を形成することを特徴とする請求項１ないし請求項７のいずれかに記載の画像形成装置。
【請求項９】
前記判断手段によって異常と判断された変換処理対象の受信データに関する情報を抽出する抽出手段と、
前記抽出手段によって抽出された情報を出力する出力手段とを備えていることを特徴とする請求項１ないし請求項８のいずれかに記載の画像形成装置。
【発明の詳細な説明】
【技術分野】
【０００１】
本発明は、通信網を通じて画像に関するデータを受信し、その受信データに基づき被記録媒体に画像を形成する画像形成装置に関する。
【背景技術】
【０００２】
例えば、ファクシミリ装置は、相手方の通信機から変調符号化された画像に関するデータを復調しつつ受信して、この受信データを画像形成用データに変換（復号化）し、変換後の画像形成用データに基づき画像を記録用紙に印刷するようになっている。
ここで、下記特許文献１には、ノイズ等の影響により、受信データに付加されるべき頁終了信号が破壊されるなどのデータ受信中の異常に対処する技術が開示されている。
【特許文献１】特開平１０−３０４１６５号公報
【発明の開示】
【発明が解決しようとする課題】
【０００３】
しかしながら、上記ファクシミリ装置などでは、データ受信は正常に行われても、その後の変換処理時に何らかの原因によって異常が発生し、動作が中断してしまうことがある。そうすると、それに後続する受信データに対する変換処理も実行されず印刷ができないという問題があった。
【０００４】
本発明は上記のような事情に基づいて完成されたものであって、正常に受信した受信データの変換処理に異常が発生した場合に対処することが可能な画像形成装置を提供することを目的とする。
【課題を解決するための手段】
【０００５】
上記の目的を達成するための手段として、請求項１の発明は、通信網を通じて送られてきた画像に関するデータを受信する受信手段と、前記受信手段で受信した受信データを記憶する記憶手段と、前記記憶手段にて記憶された受信データを読み出して画像形成用データに変換する変換処理を行う変換手段と、前記変換手段で変換された前記画像形成用データに基づき被記録媒体上に画像を形成する画像形成手段とを備えた画像形成装置において、前記変換手段での前記受信データの変換処理過程で異常が生じたか否かを判断する判断手段と、前記判断手段にて異常と判断されたことを条件に、その異常と判断された受信データの前記変換処理を終了させ、後続する受信データがあればその受信データの変換処理を実行させるように前記変換手段を制御する制御手段とを備えたことを特徴とする。
【０００６】
なお、本発明でいう「「通信網」には、例えば電話回線、インターネット、ＬＡＮ（Local Area Netwaork、構内通信網）などが含まれる。
また、「受信手段」には、有線式、無線式いずれも含まれる。
「画像」には、文字画像、絵画像、写真画像などが含まれる。
「被記憶媒体」には、表示手段の表示画面や、印刷用紙などが含まれる。
【０００７】
請求項２の発明は、請求項１に記載のものにおいて、前記受信データは、圧縮データであって、前記変換手段は、前記圧縮データをビットマップデータに展開する変換処理を行うことを特徴とする。
【０００８】
請求項３の発明は、請求項１または請求項２に記載のものにおいて、前記通信網は電話回線であり、前記画像形成装置はファクシミリ装置であることを特徴とする。
【０００９】
請求項４の発明は、請求項１ないし請求項３のいずれかに記載のものにおいて、前記判断手段は、前記変換手段による前記受信データの変換処理において、頁単位のデータ、または、走査線単位のデータの処理時間を計数し、その処理時間が基準時間以上であったことを条件に、当該受信データの変換処理に異常が生じたと判断することを特徴とする。
【００１０】
請求項５の発明は、請求項１ないし請求項４のいずれかに記載のものにおいて、前記制御手段には、前記受信手段が受信した複数の受信データのそれぞれに対応する複数の実行指令情報を生成して所定の順番で前記変換手段に与える管理手段が備えられ、前記変換手段は、前記管理手段から与えられる前記実行指令情報の順番でそれぞれに対応する受信データの変換処理を実行するよう構成され、前記管理手段は、前記判断手段で少なくとも１回異常と判断された変換処理対象の受信データに対応する実行指令情報を、それ以降前記変換手段に与える対象から削除することを特徴とする。
【００１１】
請求項６の発明は、請求項１ないし請求項５のいずれかに記載のものにおいて、前記判断手段で異常と判断された変換処理対象の受信データを、前記記憶手段から消去することを特徴とする。
なお、「消去」には、異常と判断された変換処理対象の受信データを、記憶手段から削除する構成や他の受信データを上書きして消去する構成が含まれる。
【００１２】
請求項７の発明は、請求項１ないし請求項６のいずれかに記載のものにおいて、前記判断手段によって異常と判断された変換処理対象の受信データは不揮発性メモリに記憶されることを特徴とする。
【００１３】
請求項８の発明は、請求項１ないし請求項７のいずれかに記載のものにおいて、前記画像形成手段は、前記判断手段によって異常と判断された変換処理対象の受信データについて、その異常が生じるまで正常に変換された画像形成用データに基づき画像を形成することを特徴とする。
【００１４】
請求項９の発明は、請求項１ないし請求項８のいずれかに記載のものにおいて、前記判断手段によって異常と判断された変換処理対象の受信データに関する情報を抽出する抽出手段と、前記抽出手段によって抽出された情報を出力する出力手段とを備えていることを特徴とする。
なお、「受信データに関する情報」には、受信データのデータサイズや、変換処理後のデータサイズなどが含まれる。
【発明の効果】
【００１５】
＜請求項１の発明＞
本構成によれば、受信データの変換処理中に異常が発生した場合、その異常が発生した変換処理を終了し、変換対象を後続する他の受信データに切り換えて変換処理が行われるから、前の受信データの変換処理異常で後続する受信データの処理が実行されないという事態を回避できる。
【００１６】
＜請求項２の発明＞
本構成によれば、圧縮された受信データをビットマップデータに展開する変換処理で異常が生じたかどうかが判断され、異常が検出されたときにはそのときの変換処理を終了し、後続する受信データの変換処理へと移ることができる。
【００１７】
＜請求項３の発明＞
ファクシミリ装置の場合、ある受信データの変換処理時に異常が生じてその後の処理が停止すると、その後相手方の通信機から送信されてくる受信データについて印刷出力などができなくなる。相手方から送られてくる受信データには緊急を要するものもあり、ファクシミリ装置では深刻な問題である。従って、本構成にように本発明をファクシミリ装置に適用することは特に有効である。
【００１８】
＜請求項４の発明＞
本構成によれば、頁単位または走査線単位のデータの処理時間が基準時間以上であったかどうかで受信データの変換処理時間を判断する構成である。従って、その変換処理内容にかかわらず、例えば正常時の変換処理時間を測定しこれに基づき基準時間を設定すればよく、比較的簡単な処理で変換処理の異常を検出することができる。
【００１９】
＜請求項５の発明＞
本構成によれば、一度異常と判断された受信データに対応する実行指令情報は、管理手段において削除されるから、同一の受信データについて変換処理の異常が繰り返されることを防止できる。
【００２０】
＜請求項６の発明＞
本構成によれば、判断手段で異常と判断された変換処理対象の受信データは、記憶手段から消去されるから、正常に変換処理がされない受信データがいつまでも記憶手段に記憶されてその記憶容量を専有するといった事態を回避できる。
【００２１】
＜請求項７の発明＞
本構成によれば、異常と判断された変換処理対象の受信データは不揮発性メモリに記憶される。従って、この不揮発性メモリに記憶された受信データを例えばメーカ側で解析したりして異常の原因究明を行うことが可能になる。
【００２２】
＜請求項８の発明＞
例えば１つの受信データについて、そのほどんどの受信データは正常に画像形成用データに変換できたが、最後の方の受信データの変換処理時に異常が発生した場合、正常に変換された画像形成用データに対応する部分だけでも画像形成することが望ましい。そこで、本構成によれば、正常に変換された画像形成用データに基づいて画像が形成されるようになっている。
【００２３】
＜請求項９の発明＞
本構成によれば、異常と判断された変換処理対象の受信データに関する情報を抽出して出力する構成になっているから、この情報に基づいて異常の原因を究明することが可能になる。
【発明を実施するための最良の形態】
【００２４】
＜実施形態１＞
以下、本発明の実施形態１を図１ないし図６によって説明する。
本実施形態に係る画像形成装置は、ファクシミリ装置１０であり、これには、ファクシミリ機能、スキャナ機能、コピー機能など各種の機能が備えられた多機能周辺装置（複合機）である。
【００２５】
１．ファクシミリ装置の外観構成
図１には、ファクシミリ装置１０の外観を示した全体図が示されている。同図に示すように、ファクシミリ装置１０の本体１１の側部には、受話器１２（ハンドセット）が設けられている。本体１１の上面後部には、ダイヤルボタンなど複数のボタンを備えた操作パネル１３が設けられ、この操作パネル１３の中央後端側に種々の情報が表示される表示手段としてのＬＣＤ１４が配されている。
【００２６】
操作パネル１３の後方には原稿挿入口１５が設けられている。ファクシミリ機能時に相手側の通信機へ送信する原稿やコピー機能時に複写されるコピー原稿は、この原稿挿入口１５に読み取り面を下向きにして挿入される。この挿入された原稿は、後述するスキャナ２８から画像データとして読み取られた後に、本体１１の上面前部に設けられた原稿排出口１６から排出されるようになっている。
【００２７】
また、本体１１の前面下方には、引出し状に開閉し複数枚の記録紙（印刷用紙。被記録媒体）を積層収容可能な記録紙収容部１７が設けられている。プリンタ機能時は、この記録紙収容部１７から供給され、後述するプリンタ３１によって印刷された記録紙が本体１１の前面に設けられた記録紙排出口１９から排出されるようになっている。なお、トレイ１８は、、下端を軸に開閉する構成となっており、前方に突出した姿勢において複数枚の記録紙を積載することができる。このトレイ１８に積載された記録紙は、記録紙収容部１７に収容された記録紙同様、プリンタ３１へ供給され、印刷が施された後、記録紙排出口１９から排出される。
【００２８】
２．ファクシミリ装置の電気的構成
図２には、ファクシミリ装置１０の電気的構成を示したブロック図が示されている。このファクシミリ装置１０には、ＣＰＵ２０、ＲＯＭ２１、不揮発性メモリとしてのＥＥＰＲＯＭ２２、ＲＡＭ２３、音声ＬＳＩ２４、ネットワーク・コントロール・ユニット（以下、「ＮＣＵ２５」）、モデム２６、バッファ２７、スキャナ２８、符号化部２９、復号化部３０、プリンタ３１、操作パネル１３、アンプ３３、スピーカ３４、ネットワークＩ／Ｆ３９が備えられ、これらはバスライン３５を介して互いに接続されている。
【００２９】
このうち、ＮＣＵ２５は回線制御を行うためのものであり、ファクシミリ装置１０はこのＮＣＵ２５を介して電話回線３６に接続されている。ＮＣＵ２５は、交換機３７から送信される呼出信号や相手側通信機の電話番号等を受信すると共に、操作パネル１３上に設けられたボタンの操作に応じた発信時のダイヤル信号を交換機３７へ送信したりする。更に、ＮＣＵ２５は、通話時におけるアナログ音声信号の送受信を行うものである。
【００３０】
ＣＰＵ２０は、ＮＣＵ２５を介して送受信される各種信号に従って、バスライン３５により接続された各部を制御してファクシミリ動作や電話動作、即ち、データ通信を実行するものである。また、後述するように判断手段、制御手段、管理手段として機能する。
【００３１】
ＲＯＭ２１は、このファクシミリ装置１０で実行される制御プログラムなどを格納した書換不能なメモリである。また、ＥＥＰＲＯＭは、書換可能な不揮発性メモリであり、このＥＥＰＲＯＭ２２へ記憶されたデータは、ファクシミリ装置１０の電源オフ後も保持される。ＲＡＭ２３は、ファクシミリ装置１０の各動作の実行時に各種のデータを一時的に記憶するためのメモリであり、画像及び音声データ等が記憶される。このＲＡＭ２３は、バッテリーバックアップ機能を備えており、ファクシミリ装置１０の電源オフ後も、ＲＡＭ２３に記憶されたデータは所定期間保持される。
【００３２】
音声ＬＳＩ２４は、ＮＣＵ２５によって受信したアナログ音声信号をデジタル音声信号に変換する処理と、ファクシミリ装置１０の内部で生成されたデジタル音声信号をアナログ音声信号に変換して、ＮＣＵ２５やスピーカ３４（アンプ３３）へ出力する処理とを行うためのものである。
【００３３】
モデム２６は、画情報を変調及び復調して伝送すると共に伝送制御用の各種手順信号を送受信するためのものである。また、バッファ２７は、相手側通信機（例えばファクシミリ装置）との間で送受信される符号化された画情報を含むデータを一時的に格納するためのものである。スキャナ２８は、原稿挿入口１５に挿入された原稿を画像データとして読み取るためのものである。
【００３４】
符号化部２９は、スキャナ２８により読み取られた画像データの符号化を行うものである。一方、復号化部３０は、ＲＡＭ２３に記憶された画像データを読み出して、これを画像形成用データに変換するものであり（復号化するものであり）、復号化されたデータは後述する変換処理後にプリンタ３１により記録紙に印刷される。
【００３５】
操作パネル１３は、ユーザーがこのファクシミリ装置１０の設定等を行う場合に各種の操作を行うためのものであり、アンプ３３は、このアンプ３３に接続されたスピーカ３４を鳴動して、呼出音や音声を出力するためのものである。ネットワークＩ／Ｆ（ネットワークインターフェース）３９は、ＬＡＮ５０を介した通信を実現するためのものであり、例えばメールの送受信などを行う。
【００３６】
このように構成されたファクシミリ装置１０は、ＮＣＵ２５を介して電話回線３６に接続されている。この電話回線３６は、交換機３７に接続され、この交換機３７は電話回線３８を介して他の交換機３７に接続されている。なお、他の交換機３７は、更に、電話回線を介して相手側通信機などの他の装置に接続されている。
【００３７】
３．ファクシミリ装置の動作
本実施形態のファクシミリ装置１０の動作について、ＣＰＵ２０による制御内容を中心に図３〜図６を参照しつつ説明する。なお、本実施形態では、相手側通信機からの受信データは、画像データを圧縮ソフトで圧縮し、変調符号化されたものである。なお、この圧縮方式は、本実施形態ではＭＨ（Modified Huffman）方式であるとする。なお、その他にＭＲ（Modified READ)方式や、ＭＭＲ方式による圧縮であってもよい。
【００３８】
（１）受信データから画像形成用データまでの処理の流れ
図３は、受信データから画像形成用データまでの処理の流れを示した機能的ブロック図である。
【００３９】
まず、受信手段４０（ＮＣＵ２５）で受信されモデム２６で復調された受信データ（圧縮データ）は、バッファ２７に一時的に蓄積した後、バッファ２７に蓄積された受信データを受信データ記憶手段４１（例えばＲＡＭ２３の受信データ用の領域）に移して受信データ記憶手段４１に格納される。
【００４０】
そして、管理手段４３から実行指令情報（実行指令コマンド）が送られてきたことを条件に、その実行指令情報に対応する受信データが読み出され、復号化部３０（変換手段）によって画像形成用データ（ビットマップデータ）に展開（変換）され、画像形成用データ記憶手段４５（ＲＡＭ２３の画像形成データ用領域）に記憶される。そして、印刷開始命令が発行されたことを条件に、画像形成手段４６（プリンタ３１）によって画像形成用データが読み出されて画像形成（出力印刷）される。
【００４１】
図３の符号４７は、実行指令情報生成手段であり、ＮＣＵ２５で受信した受信データに対応する実行指令情報（実行指令コマンド）を生成し、管理手段４３に送信する。管理手段４３は、ファクシミリ受信やメール受信で受信した各種の受信データの処理（記録）順を管理するものであり、実行指令情報生成手段４７からの実行指令情報を例えば受けた順番に順位を付けて実行指令情報記憶手段４８に格納する。なお、同図では、ファクシミリ通信によって受信した受信データに対応する実行指令コマンド１、次にメール受信で受信した受信データに対する実行指令コマンド１、その次にファクシミリ通信によって受信した受信データに対応する実行指令コマンド２がこの順番に格納されて待ち合わせ行列（キュー）が構成されている。そして、管理手段４３から各実行指令情報を上記の順番で復号化部３０に与えられることで、各実行指令情報に対応する受信データの記録処理（変換処理、印刷処理）が順次実行されるようになっている。つまり、実行指令情報生成手段４７は、複数の処理要求があった場合に、各処理がされるまでの間行列を作って順番のくるのを待ち合わせるようにしている。
【００４２】
（２）具体的処理内容
次に、具体的処理内容について、図４〜図６を参照しつつ説明する。
Ａ．データ受信処理
相手側通信機からのデータを受信するとき、ＣＰＵ２０は、図４のフローチャートに示す制御を実行する。まず、ステップＳ１において、ＮＣＵ２５から着信ありの信号を受けるまで待機状態にあり、着信ありの信号を受けたときには（ステップＳ１で「Ｙ」）、ＮＣＵ２５で受信してモデム２６によって復調した後の受信データをバッファ２７を経由してＲＡＭ２３の受信データ用領域に格納する（ステップＳ２）。
【００４３】
そして、その受信データに対応する実行指令コマンドを生成してこの実行指令コマンドを例えばＲＡＭ２３内の実行指令用領域に格納する（ステップＳ３）。なお、このとき、実行指令コマンドと、受信データとは共通のＩＤを用いてそれらの対応付けが行われている。
【００４４】
以上の処理は、ＮＣＵ２５が受信データを受信する毎に実行され、受信データはらＲＡＭ２３内の受信データ用領域に格納され、それに対応する実行指令コマンドは、ＲＡＭ２３内の実行指令用領域において例えば対応する受信データの受信順に順位付けられて記憶される（図３参照）。
【００４５】
Ｂ．記録要求管理処理
ＣＰＵ２０は、ＮＣＵ２５が受信した各種の受信データの記録処理を管理する管理手段としても機能する。具体的には、図５のフローチャートに示す制御を実行する。まず、システムが記録可能な状態かどうかを判断する。つまり、ステップＳ１１で１つ前の実行指令コマンドに基づく処理（本実施形態では、受信データを変換する変換処理）が終了しているかどうかを検知し、終了していないときは当該処理が終了するまで待ち状態となる。
【００４６】
そして、その処理が終了したときには（ステップＳ１１で「Ｙ」）、ステップＳ１２でＲＡＭ２３内の実行指令用領域に実行指令コマンドがあるかどうかを確認する。そして、ＲＡＭ２３内の実行指令用領域に実行指令コマンドがあれば（ステップＳ１２で「Ｙ」）、そのなかで順位が一番若い実行指令コマンドを読み出して、それと共通のＩＤによって関連付けられている受信データの記録処理を開始させるトリガーを発行する（ステップＳ１３，１４）。
【００４７】
Ｃ．記録処理
さて、ＣＰＵ２０は、本発明の判断手段としても機能する。具体的には、図６のフローチャートに示す制御を実行する。まず、ステップＳ２１で記録処理開始トリガーの発行があるまで待機し、記録処理開始トリガーの発行があったとき（ステップＳ２１で「Ｙ」）、ステップＳ２２でタイムカウントを開始するとともに、復号化部３０に指令を出して、復号化部３０による変換処理を開始する。この復号化部３０による変換処理が本発明の「変換処理」に相当し、本実施形態ではＭＨ方式により圧縮された圧縮データをビットマップデータに展開する処理である。
【００４８】
そして、ステップＳ２３で変換処理開始から基準時間内に１ライン（走査線に相当）分の受信データの変換処理が終了したかどうかが判断される。ここで変換（展開）後のビットマップデータには、１ライン分のデータの最後にラインエンドデータがそれぞれ付加されている。また、１ページ分のデータの最後にはページエンドデータが付加されている。
【００４９】
本実施形態では、１ライン分の変換処理を開始して基準時間以内にラインエンドデータを検出できたかどうかを判断している。なお、この基準時間は、正常に１ライン分のデータを変換処理するのに要する時間に応じた時間（例えば正常変換処理時間よりやや長めの時間）であり、これは、受信データ量、圧縮形式、変換ソフトの処理速度、画像データの解像度などによって定まり、例えば予め実験や計算等で求めることができる。
【００５０】
基準時間内に正常に１ライン分のデータの変換処理が終了したときには（ステップＳ２３で「Ｙ」）、ステップＳ２４で１ライン分のビットマップデータをＲＡＭ２３の画像形成用データ用領域内に保存する。
【００５１】
以上の処理を１ラインずつ順次実行し、１ページ分のデータの変換処理が正常に終了したときには（ステップＳ２５で「Ｙ」）、プリンタ３１に印刷開始命令を発行する（ステップＳ２６）。これによりプリンタ３１によってＲＡＭ２３の画像形成用データ用領域に記憶された１ページ分のビットマップデータに基づいて記録紙に画像が印刷される。そして、次のページの受信データがあれば、再び同じ処理を繰り返す（ステップＳ２７）。そして、全てのページの受信データの変換処理が終了したときには、その受信データに対応する実行指令コマンドをＲＡＭ２３内の実行指令用領域から削除する。
【００５２】
一方、基準時間経ってもまだ１ライン分のデータの変換処理が終了していないときは（ステップＳ２３で「Ｎ」）、何らかの影響で変換処理に異常（例えば圧縮データの破損など）が発生したと考えられる。そこで、ステップＳ２８で、まず、展開済みデータの印刷を行う設定になっているかどうかが判断される。展開済みデータの印刷を行う設定になっているときには（ステップＳ２８で「Ｙ」）、正常に変換処理が実行されたラインのビットマップデータの最後にページエンドデータを付加して画像形成用データ用領域に保存する（ステップＳ２９）。すると、ステップＳ２６で印刷開始命令を発行し、１ページ中、正常に変換処理が実行されたラインまでの画像が記録紙に印刷される。なお、このとき、ＬＣＤ１４には、異常が発生したライン以降の画像が印刷されない旨のメッセージが表示される。
【００５３】
展開済みデータの印刷を行う設定になっていないときには（ステップＳ２８で「Ｎ」）、ステップＳ３０でエラー処理が実行される。具体的には、予め設定された内容によって次の処理が実行される。
（ａ）変換処理に異常が発生した受信データに対応する実行指令コマンドを、ＲＡＭ２３内の実行指令用領域から削除し、その旨のメッセージをＬＣＤ１４に表示する。  これにより、異常が発生した受信データに対する変換処理が終了され、次の順位の実行指令コマンドに基づく記録処理開始トリガーが発行され、それに対応する受信データに対する変換処理が実行される。
なお、ＲＡＭ２３内の実行指令コマンドを削除する際に、当該実行指令コマンドに対応したＲＡＭ２３内の画像形成用データを削除してもよい。このような構成にすれば、無駄なデータによってＲＡＭ２３の記憶領域を減らしてしまうことを防止できる。
【００５４】
（ｂ）変換処理に異常が発生した受信データに対応する実行指令コマンドを、ＲＡＭ２３内の実行指令用領域内において一番最後の順位に積み直し、その旨のメッセージをＬＣＤ１４に表示する。
これにより、やはり、異常が発生した受信データに対する変換処理が終了され、次の順位の実行指令コマンドに基づく記録処理開始トリガーが発行され、それに対応する受信データに対する変換処理が実行される。
【００５５】
（ｃ）上記エラー処理（ａ）または（ｂ）の後に、その受信データに関する情報を抽出して例えばＥＥＰＲＯＭ２２に書き込むとともに、異常が発生した旨をＬＣＤ１４に表示する。なお、その他の構成として、受信データに関する抽出結果を記録紙に印刷（出力）する構成や、その抽出結果をメーカへ自動で送信する構成であってもよい。
受信データには各ページ毎のヘッダに１ページ分のデータサイズ、圧縮方法、解像度などが記録されており、これを抽出しておけば、例えばメーカ側で異常の原因究明に役立てることが可能となる。
【００５６】
４．本実施形態の効果
以上のように、本実施形態では、変換処理で異常が発生したときには、その受信データ（図３でＦＡＸ１記録コマンドに対応する受信データ）の変換処理を終了し、次に受信した受信データ（ＭＡＩＬ１記録コマンドに対応する圧縮データ）の処理に移行するから、それ以降に受信した受信データの変換処理、印刷処理を行うことができる。
【００５７】
また、上記（ａ）のエラー処理であれば、一度異常と判断された受信データに対応する実行指令コマンドは、ＲＡＭ２３内の実行指令用領域から削除されるから、再び同一受信データの変換処理が実行されて異常が繰り返されることを防止できる。（請求項５の構成）。
【００５８】
更に、本実施形態では、異常が発生した受信データについても正常に変換できた部分までは印刷する構成なので、画像品質等にほとんど影響がないラインで異常が生じた場合にも印刷がされないという事態を回避できる（請求項８の構成）。
【００５９】
＜実施形態２＞
図７は（請求項４の発明に対応する）実施形態２を示す。前記実施形態との相違は、変換処理異常をページ単位で実行するところにあり、その他の点は前記実施形態１と同様である。従って、実施形態１と同一符号を付して重複する説明を省略し、異なるところのみを次に説明する。
本実施形態では、図７に示すように、ステップＳ４０で１ページ分の受信データの変換時間が基準時間以内に終了しているかどうかを判断している。ここでいう基準時間は、正常に１ページ分のデータを変換処理するのに要する時間に応じた時間（例えば正常変換処理時間よりやや長めの時間）であり、やはり、受信データ量、圧縮形式、変換ソフトの処理速度、画像データの解像度などによって定まり、例えば予め実験や計算等で求めることができる。
【００６０】
このような構成であれば、上記実施形態１のように１ライン毎に異常検出を行う場合に比べてＣＰＵの処理負担を軽減できる。但し、１ライン毎に異常検出を行えば、比較的早期に異常検出を行うことができ、後続する受信データの処理を迅速に行うことができるという効果がある。
【００６１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００６２】
（１）本発明の変換処理として、上記実施形態では圧縮データを画像形成用データに変換する処理としたが、これ以外に、例えば、解像度変換（例えば１６ドット／mm→８ドット／mm）、文書構造変換（例えば、ＴＩＦ．１→ＴＩＦ．０）、あるいはそれらの組み合わせによる処理であってもよい。
【００６３】
（２）異常が発生した受信データをＲＡＭ２３から削除して、その記憶容量を確保する構成であってもよい（請求項６の構成）。
【００６４】
（３）上記各実施形態では、１ラインについてラインエンドデータを検出するまでの時間、或いは１ページについてページエンドデータを検出するまでの時間としたが、基準時間内に変換された展開データ量が所定のデータ量に達するかどうかで異常を検出する構成としてもよい。なお、所定のデータ量とは、正常に展開された場合の１ライン分のデータ量や１ページ分のデータ量をいう。
【００６５】
（４）上記実施形態では、報知手段として、エラー処理にメッセージをＬＣＤ１４に表示する構成としたが、これ以外に専用の表示灯を点灯させたり、スピーカ３４を介してメッセージ音声を出力する構成であってもよい。
【００６６】
（５）上記各実施形態において、異常が発生した受信データを削除せずに不揮発性メモリであるＥＥＰＲＯＭ２２に記憶する構成にしてもよく、このような構成にすれば、その受信データを例えばメーカ側で解析したりして異常の原因究明を行うことが可能になる（請求項７の構成）。
【００６７】
（６）上記各実施形態では、受信データ、画像形成用データ、実行指令コマンドなどをＲＡＭ２３に格納する構成としたが、少なくともいずれか１つをＥＥＰＲＯＭ２２に格納する構成であってもよい。
（７）上記各実施形態では、画像形成用データに変換する受信データをＮＣＵ２５を介して受信する構成としたが、これに限らず、ネットワークＩ／Ｆ３９を介して受信する構成とし、その受信データについて上記各処理を行う構成であってもよい。
【図面の簡単な説明】
【００６８】
【図１】本発明の実施形態１に係るファクシミリ装置の斜視図
【図２】その電機的構成図
【図３】データ処理の流れを説明するための機能的ブロック図
【図４】受信ルーチンを示すフローチャート
【図５】記録要求管理ルーチンを示すフローチャート
【図６】記録処理ルーチンを示すフローチャート
【図７】実施形態２の記録処理ルーチンを示すフローチャート
【符号の説明】
【００６９】
１０…ファクシミリ装置（画像形成装置）
１４…ＬＣＤ（報知手段）
２０…ＣＰＵ（判断手段、管理手段）
２２…ＥＥＰＲＯＭ（不揮発性メモリ）
２３…ＲＡＭ 
２５…ＮＣＵ（受信手段）
３０…復号化部
３１…プリンタ（画像形成手段）
３６，３８…電話回線（通信網）
３９…ネットワークＩ／Ｆ（受信手段）
４０…受信手段
４１…受信データ記憶手段
４３…管理手段
４５…画像形成用データ記憶手段
４６…画像形成手段
４７…実行指令情報生成手段
４８…実行指令情報記憶手段
５０…ＬＡＮ（通信網）
【図１】
2005123808.tif 000003
【図２】
2005123808.tif 000004
【図３】
2005123808.tif 000005
【図４】
2005123808.tif 000006
【図５】
2005123808.tif 000007
【図６】
2005123808.tif 000008
【図７】
2005123808.tif 000009